(57)【要約】【課題】ＯＣＢモードを有する液晶表示装置において、液晶に高電圧を印加できると同時に、初期高電流を制限できる液晶表示装置を開示する。【解決手段】複数のスキャンラインと複数のデータラインとが交差する領域に形成される画素回路であって、画素電極と共通電極との間に形成されたＯＣＢモードの液晶キャパシタを含む画素回路と、前記データラインに接続され、前記画素回路に静電気が発生することを防止するための静電気防止回路と、前記ＯＣＢモードの液晶キャパシタの初期ベンド転移のための電圧を出力するＤＣ−ＤＣコンバータと、前記ＤＣ−ＤＣコンバータの電圧を印加され、前記共通電極に高電圧を伝達するための高電圧印加回路とを備える。高電圧印加回路を設計して、液晶パネル内に流入される初期高電流を制限することによって、液晶パネルの損傷や素子の破損を防止できると同時に、液晶に高電圧を印加できるので、ＯＣＢモード液晶の初期ベンド転移時間を著しく短縮させることができる。【選択図】  図６
2006146140.tif 000002
【特許請求の範囲】
【請求項１】
複数のスキャンラインと複数のデータラインとが交差する領域に形成され、画素電極と共通電極との間に形成されたＯＣＢモード液晶キャパシタを含む画素回路と、
前記データラインに接続され、前記画素回路に静電気が発生することを防止する静電気防止回路と、
前記ＯＣＢモード液晶キャパシタの初期ベンド転移のための電圧を出力するＤＣ−ＤＣコンバータと、
前記ＤＣ−ＤＣコンバータの電圧が印加され、前記共通電極に高電圧を伝達するための高電圧印加回路と、
を備えることを特徴とする液晶表示装置。
【請求項２】
前記高電圧印加回路は、前記ＤＣ−ＤＣコンバータから出力された電圧によって電荷を充電するためのキャパシタと、
前記キャパシタの充電電圧に応じて出力電流の値が変化するトランジスタと、を含むことを特徴とする請求項１に記載の液晶表示装置。
【請求項３】
前記高電圧印加回路は、前記ＤＣ−ＤＣコンバータと前記キャパシタとの間に接続された抵抗を更に含むことを特徴とする請求項２に記載の液晶表示装置。
【請求項４】
前記キャパシタに充電される電圧は、下記（１）式で表されることを特徴とする請求項３に記載の液晶表示装置。
【数１】
2006146140.tif 000005
ただし、Ｖc(t)はキャパシタに充電される電圧、ＶdcはＤＣ−ＤＣコンバータから出力された電圧、ＲＣは時定数である。
【請求項５】
前記トランジスタは、ソース端子が前記ＤＣ−ＤＣコンバータに接続され、ゲート端子が前記キャパシタに接続され、ドレイン端子が前記静電気防止回路に接続されることを特徴とする請求項２に記載の液晶表示装置。
【請求項６】
前記トランジスタは、前記キャパシタの電圧が充電される間、前記出力電流を遮断することを特徴とする請求項５に記載の液晶表示装置。
【請求項７】
前記トランジスタは、前記キャパシタの充電完了後には、前記キャパシタに充電された電圧を前記静電気防止回路に伝達することを特徴とする請求項６に記載の液晶表示装置。
【請求項８】
前記高電圧印加回路は、前記ＤＣ−ＤＣコンバータのベンド転移電圧が出力された後の経過時間に応じて、前記画素回路に印加される電流の量が変化することを特徴とする請求項１に記載の液晶表示装置。
【請求項９】
前記高電圧印加回路は、前記ＤＣ−ＤＣコンバータのベンド転移電圧が出力される初期には高抵抗であり、時間が経過するに連れて抵抗値が減少することを特徴とする請求項８に記載の液晶表示装置。
【請求項１０】
前記静電気防止回路は、ゲートとドレインとが接続されたトランジスタであり、前記ゲートに印加される一定の電圧以上でオンとなることを特徴とする請求項１に記載の液晶表示装置。
【請求項１１】
前記静電気防止回路は、前記ゲートに印加される一定の電圧以上で前記一定電圧が増加するに連れて抵抗値が減少することを特徴とする請求項１０に記載の液晶表示装置。
【請求項１２】
前記一定の電圧は、１０Ｖであることを特徴とする請求項１１に記載の液晶表示装置。
【請求項１３】
前記ＤＣ−ＤＣコンバータは、１５Ｖ〜３０Ｖの電圧を出力することを特徴とする請求項１に記載の液晶表示装置。
【請求項１４】
前記データラインは、前記ＤＣ−ＤＣコンバータからベンド転移電圧が出力される間、グランドに接続されることを特徴とする請求項１に記載の液晶表示装置。
【請求項１５】
前記液晶キャパシタは、前記静電気防止回路と並列で接続されることを特徴とする請求項１に記載の液晶表示装置。
【請求項１６】
前記画素回路は、前記スキャンラインの選択電圧に応答して、前記データラインを介して伝達されるデータ電圧を前記画素電極に伝達するスイッチングトランジスタと、前記データ電圧を蓄積する蓄積キャパシタと、をさらに含むことを特徴とする請求項１に記載の液晶表示装置。
【発明の詳細な説明】
【技術分野】
【０００１】
本発明は、液晶表示装置（ＬＣＤ）に関し、より詳細には、ＯＣＢ（Optically Compensated Bend）モードを有する液晶表示装置において、液晶に高電圧を印加すると同時に、初期高電流を制限できる液晶表示装置に関する。
【背景技術】
【０００２】
一般的に、液晶表示装置は、陰極線管に比べて極めて薄く、軽く、且つ電力消費が少ないことから、携帯電話、コンピュータ及びＰＤＡ（Personal Digital Assistance）等の携帯型情報機器の画面表示素子として広く用いられており、電磁波の放出が少なくて、現在ディスプレイ分野において主流となっている。
【０００３】
かかる液晶表示装置は、画面を見る方向によって明暗や色相が異なるので、狭い視野角を有するという短所がある。この短所を克服する方法が種々提案されている。
【０００４】
例えば、ＬＣＤの視野角を向上させるためには、導光板の表面にプリズム板を取り付けることによって、バックライトから入射光の直進性を向上させ、垂直方向の輝度を３０％以上向上させる方式が実用化されてきている。また、ネガティブ光補償板を取り付けることによって、視野角を高める方法についても適用されつつある。
【０００５】
また、インプレーンスイッチング（ＩＰＳ）モードが開発され、上下左右の視野角が１６０゜と、ほぼ陰極線管水準となる広視野角化が達成されたが、開口率が相対的に低くて、これに対する改善策が必要である。
【０００６】
その他、ＯＣＢ方式、ＰＤＬＣ（Polymer Dispersed Liquid Crystal）方式、ＤＨＦ（Deformed Helix Ferroelectric）方式などを、薄膜トランジスタ（Thin Film Transistor：ＴＦＴ）で駆動して、視野角を改善する努力など多くの試みがなされている。
【０００７】
特に、ＯＣＢモードの場合、液晶応答速度が速く、広視野角の特性を有しているという長所があることから、現在研究開発が活発に進行中である。
【０００８】
図１は、一般的なＯＣＢモードの動作を説明するための液晶状態図である。図１を参照すれば、上部板電極と下部板電極との間に位置する液晶の初期配向状態は、ホモジニアス状態であり、上下部板電極に所定の電圧を印加すれば、転移スプレイ及び非対称スプレイを経てベンド状態に変換された後、ＯＣＢモードで動作する。
【０００９】
図１に示すように、一般的に、ＯＣＢ液晶セルは、傾斜角が約１０〜２０゜、液晶セルの厚みが４〜７［μｍ］となるように製作され、配向膜を同一の方向にラビング（rubbing）する方法を適用している。液晶層の真中での液晶分子の配列は、左右対称となるので、特定の電圧以下では傾斜角が０゜であり、特定の電圧以上では、傾斜角が９０゜となるので、初期に大きい電圧を印加して、液晶層の中心部において液晶分子の傾斜角を９０゜とし、印加電圧を変化させて、配向膜と液晶層の中間の液晶分子を除いた残りの液晶分子のチルトを変化させ、液晶層を通る光の偏光を変調する。
【００１０】
中心部の液晶分子の傾斜角を０゜〜９０゜に配列するのに所要する時間は通常数秒であり、バックフロー（Back-Flow）がなく、弾性係数が大きい反り変形であるから、反応時間は１０［μsec］程度と非常に速いという特徴がある。
【００１１】
一般的に、ＯＣＢモードのオン状態において、転移スプレイから非対称スプレイへの変換は速く、転移スプレイからベンド状態への変換は、比較的速いのに対して、非対称スプレイからベンド状態への変換は遅い。
【００１２】
また、ＯＣＢモードのオフ状態において、ベンド状態からホモジニアス状態への変換は遅いのに対して、転移スプレイからホモジニアス状態への変換、または非対称スプレイからホモジニアス状態への変換は速い。
【００１３】
上述したように、ＯＣＢモードのためのベンド配向を得るまでは、一定の時間（以下、「転移時間」という）が必要になるという問題点が発生する。したがって、このようなＯＣＢモードにおける転移時間を短縮するために、液晶の共通電極に初期電圧を印加する方法が従来の液晶表示装置に開示されている。
【００１４】
図２は、従来のＯＣＢモードを有する液晶表示装置を示すブロック図である。図２を参照すれば、従来のＯＣＢモードを有する液晶表示装置は、液晶パネル１０と、データドライバ２０と、スキャンドライバ３０と、ＤＣ−ＤＣコンバータ４０とを備える。
【００１５】
液晶パネル１０は、複数のスキャンラインＧ１、Ｇ２、・・と複数のデータラインＤ１、Ｄ２、・・とが交差する領域に形成された複数の画素回路１１から構成される。
【００１６】
各画素回路１１は、スイッチングトランジスタＭ、液晶キャパシタＣLC及び蓄積キャパシタＣstから構成されている。スイッチングトランジスタＭのソース端子は、データラインＤ２に接続され、前記スイッチングトランジスタＭのゲート端子は、スキャンラインＧ１に接続されている。前記スイッチングトランジスタＭは、ゲート電圧によりオンとなり、データ電圧を液晶キャパシタＣLCに伝達する。液晶キャパシタＣLCは、画素電極、共通電極Ｃｏｍ及びこれら間のＯＣＢモード液晶層から構成され、前記スイッチングトランジスタＭを介して伝達されたデータ電圧は、画素電極に印加される。蓄積キャパシタＣstは、前記液晶キャパシタＣLCと並列で接続され、前記データ電圧を１フレーム期間蓄積する役目をする。
【００１７】
データドライバ２０は、複数のデータラインＤ１、Ｄ２、・・を介してデータ電圧を前記画素回路１１に印加し、スキャンドライバ３０は、複数のスキャンラインＧ１、Ｇ２、・・を介して選択電圧を前記スイッチングトランジスタＭのゲートに印加する。
【００１８】
ＤＣ−ＤＣコンバータ４０は、液晶の共通電極Ｃｏｍに初期電圧を印加するためのものであり、電源部（図示せず）より供給される電圧を昇圧して、蓄積キャパシタのストレージラインＳ１、Ｓ２、・・を介して共通電極Ｃｏｍに印加する。前記ＤＣ−ＤＣコンバータ４０は、直列で接続した抵抗Ｒｓを介して高電圧を印加することができる。前記抵抗Ｒｓは、共通電極ＣｏｍとデータラインＤｍとの間に形成された寄生キャパシタによって高電圧が印加される初期に流れるスパーク性高電流を制限するためのものである。
【００１９】
また、前記ストレージラインＳ１、Ｓ２、・・とデータラインＤ１、Ｄ２、・・との間に静電気防止（Electro Static Discharge：ＥＳＤ）のための、静電気防止回路ＥＳＤが接続されている。前記静電気防止回路ＥＳＤは、ＬＣＤ工程中に静電気が発生した場合でも、ＴＦＴ素子や配線の特性が変わらずに、放電がなされるようにするためのものである。静電気防止回路ＥＳＤは、一定の電圧（一般的に１０Ｖ）以上でオンとなり、オンの時、静電気防止回路ＥＳＤは、抵抗にモデリングされ、抵抗の大きさは印加される電圧によって可変可能である。
【００２０】
上述した従来のＯＣＢモードを有する液晶表示装置は、ＯＣＢ液晶モードで初期ベンド転移のために１５Ｖ〜３０Ｖの高電圧ＶdcをＤＣ−ＤＣコンバータ４０から直列抵抗Ｒｓを介して共通電極Ｃｏｍに印加し、データラインＤ１、Ｄ２、・・は、グランドに接続され、液晶に高電圧を印加するようになる。より詳細には、ＤＣ−ＤＣコンバータ４０の高電圧Ｖdcは、直列抵抗Ｒｓで一定の電圧だけ電圧降下されて、前記静電気防止回路ＥＳＤに印加され、前記静電気防止回路ＥＳＤに印加された電圧が液晶に印加される。
【００２１】
図３及び図４は、図２に示すＤＣ−ＤＣコンバータの電圧の大きさに応じた静電気防止回路の状態を示す等価回路図である。
【００２２】
図３を参照すれば、図３は、ＤＣ−ＤＣコンバータ４０より出力される高電圧Ｖdcが静電気防止回路ＥＳＤのオン電圧より小さい時の等価回路図である。したがって、静電気防止回路ＥＳＤは、オフとなり、液晶キャパシタＣLCの両端の電圧Ｖｄに高電圧Ｖdcが全て印加される。
【００２３】
図４を参照すれば、図４は、ＤＣ−ＤＣコンバータ４０の高電圧Ｖdcが静電気防止回路ＥＳＤのオン電圧より大きい時の等価回路図である。したがって、静電気防止回路ＥＳＤはオンとなり、非線形抵抗ＲESDのように作用するので、液晶ＣLCの両端の電圧Ｖｄには、高電圧Ｖdcの一部のみ印加される。この際、液晶キャパシタＣLCに印加される電圧ＶｄとＤＣ−ＤＣコンバータ４０の高電圧Ｖdcとの関係は、次の（２）式で表すことができる。
【００２４】
Ｖｄ＝｛ＲESD／（ＲESD＋Ｒｓ）｝＊Ｖdc    ・・・（２）
ここで、Ｖｄは液晶に印加される電圧、ＶdcはＤＣ−ＤＣコンバータ４０より出力される電圧、Ｒｓは直列抵抗、ＲESDは静電気防止回路がオンとなったときの非線形抵抗を示す。
【００２５】
上記（２）式から明らかなように、ＤＣ−ＤＣコンバータ４０より同じ高電圧Ｖdcを印加する時、直列抵抗Ｒｓの大きさが小さいほど、液晶に印加される電圧Ｖｄを増加させることができる。しかしながら、抵抗Ｒｓが小さければ、電圧が印加される初期に大電流が流れて、画素回路や液晶パネルを損傷させてしまう問題点がある。
【００２６】
液晶に高電圧を印加する目的は、ＯＣＢモードにおける液晶の初期ベンド転移時間を低減することにあるので、可能な限り高電圧を印加することによりＯＣＢモードの液晶表示装置の特性を向上させることができる。実際に図４のような状態が多く発生するようになるので、初期電流を制限することができ、且つ抵抗Ｒｓによる印加電圧の減少を最小化させることができる回路が求められている。
【発明の開示】
【発明が解決しようとする課題】
【００２７】
本発明は、上述したような問題点を解決するためになされたもので、本発明の目的は、ＯＣＢ初期ベンド転移時間を低減するために高電圧を印加する場合、液晶パネルまたは画素回路に流れる初期スパーク性電流を制限できると同時に、液晶に高電圧を印加できる液晶表示装置を提供することにある。
【課題を解決するための手段】
【００２８】
前記目的を達成するために、本発明に係る液晶表示装置は、複数のスキャンラインと複数のデータラインとが交差する領域に形成され、画素電極と共通電極との間に形成された液晶キャパシタを含む画素回路と、前記データラインに接続され、前記画素回路に静電気が発生することを防止するための静電気防止回路と、前記液晶キャパシタのＯＣＢ初期ベンド転移のための電圧を出力するＤＣ−ＤＣコンバータと、前記ＤＣ−ＤＣコンバータの電圧を印加され、前記共通電極に高電圧を伝達するための高電圧印加回路とを備える。
【００２９】
前記高電圧印加回路は、前記ＤＣ−ＤＣコンバータから出力された電圧によって電荷を充電するためのキャパシタと、前記キャパシタの充電電圧に応じて出力電流の値が変化するトランジスタとを含むことを特徴とする。
【００３０】
また、前記高電圧印加回路は、前記ＤＣ−ＤＣコンバータと前記キャパシタとの間に接続された抵抗をさらに含むことを特徴とする。
【発明の効果】
【００３１】
本発明に係るＯＣＢモードを有する液晶表示装置は、高電圧印加回路を設計して、液晶パネルまたは画素回路内に流入される初期スパーク性高電流を制限することによって、液晶パネルの損傷や素子の破損を防止することができると同時に、液晶に高電圧を印加することができるので、ＯＣＢモード液晶の初期ベンド転移時間を著しく短縮させることができるという効果がある。
【発明を実施するための最良の形態】
【００３２】
以下、添付の図面を参照して本発明の好適な実施例を詳細に説明する。図５は、本発明の一実施例に係るＯＣＢモードを有する液晶表示装置を示すブロック図である。
【００３３】
図５を参照すれば、本発明の実施例に係るＯＣＢモードを有する液晶表示装置は、液晶パネル１００と、データドライバ２００と、スキャンドライバ３００と、ＤＣ−ＤＣコンバータ４００とを備える。
【００３４】
液晶パネル１００は、複数のスキャンラインＧ１、Ｇ２、・・と複数のデータラインＤ１、Ｄ２、・・とが交差する領域に形成された複数の画素回路１１０から構成される。液晶パネル１００に内蔵されたＯＣＢモードの液晶分子には、初期に大きい電圧がかかるので、液晶層の真中での傾斜角を９０゜に作る時間を高速化できる。
【００３５】
各画素回路１１０は、スイッチングトランジスタＭ、液晶キャパシタＣLC及び蓄積キャパシタＣstから構成されている。スイッチングトランジスタＭは、ソース端子がデータラインＤ２に接続され、ゲート端子がスキャンラインＧ１に接続され、選択電圧によりオンとなり、データ電圧を伝達する。液晶キャパシタＣLCは、画素電極、共通電極Ｃｏｍ及びこれら間のＯＣＢモード液晶層から構成され、前記スイッチングトランジスタＭを介して伝達されたデータ電圧は、画素電極に印加される。蓄積キャパシタＣstは、前記液晶キャパシタＣLCと並列で接続され、前記データ電圧を１フレーム期間蓄積する役目をする。
【００３６】
データドライバ２００は、複数のデータラインＤ１、Ｄ２、・・を介してデータ電圧を前記画素回路１１０に印加し、スキャンドライバ３００は、複数のスキャンラインＧ１、Ｇ２、・・を介して選択電圧を前記スイッチングトランジスタＭのゲートに印加する。
【００３７】
ＤＣ−ＤＣコンバータ４００は、液晶の共通電極Ｃｏｍに初期高電圧を印加するためのものであって、電源部（図示せず）での電圧を昇圧して、蓄積キャパシタのストレージラインＳ１、Ｓ２、・・を介して液晶の共通電極Ｃｏｍに印加される。すなわち、下部基板に形成されたストレージラインＳ１、Ｓ２、・・と上部基板に形成された共通電極Ｃｏｍとは、液晶表示パネルの一部において銀（Ａｇ）で共通接続されている。
【００３８】
また、前記ストレージラインＳ１、Ｓ２、・・とデータラインＤ１、Ｄ２、・・との間に静電気防止（Electro Static Discharge：ＥＳＤ）のための静電気防止ＥＳＤ回路が接続されている。前記静電気防止回路ＥＳＤは、ＬＣＤ工程中に静電気が発生しても、ＴＦＴ素子や配線の特性が変わらずに、放電がなされるようにするためのものである。前記静電気防止回路ＥＳＤは、薄膜トランジスタＴＦＴのゲートとドレインとを接続して製作した２つのダイオードを双方向に接続した非線形抵抗として作用する。すなわち、静電気防止回路ＥＳＤは、前記ＤＣ−ＤＣコンバータ４００の高電圧Ｖdcの大きさに応じてオン／オフとなる。静電気防止回路ＥＳＤは、１０Ｖ以上の電圧によってオンとなる。この際、静電気防止回路ＥＳＤは、抵抗にモデリングされ、抵抗の大きさは、印加される電圧に応じて可変となる非線形抵抗である。
【００３９】
また、本発明の実施例に係るＯＣＢモードを有する液晶表示装置は、高電圧印加回路５００をさらに備える。高電圧印加回路５００は、ＤＣ−ＤＣコンバータ４００と静電気防止回路ＥＳＤとの間に接続され、液晶表示パネル内に流れる初期スパーク性電流を制限することができ、且つ液晶に初期高電圧を印加する機能を有する。ＯＣＢモードの液晶において初期ベンド転移を高速とするために、１５Ｖ〜３０Ｖの高電圧ＶdcをＤＣ−ＤＣコンバータ４００から前記高電圧印加回路５００を介してストレージライン及び共通電極Ｃｏｍに印加し、データラインＤ１、Ｄ２、・・はグランドに接続され、液晶に高電圧を印加するようになる。詳細には、図５から明らかなように、ＤＣ−ＤＣコンバータ４００の高電圧Ｖdcは、前記高電圧印加回路５００に伝達され、データラインに接続された静電気防止回路ＥＳＤに電圧が印加される。
【００４０】
図６は、図５に示す本発明の実施例に係る液晶表示装置において、ＤＣ−ＤＣコンバータの高電圧が高電圧印加回路及び静電気防止回路に印加される関係を示す回路図である。
【００４１】
図６を参照すれば、回路図は、ＤＣ−ＤＣコンバータ４００と、高電圧印加回路５００及び静電気防止回路ＥＳＤ（等価回路ＲESD）から構成されている。
【００４２】
ＤＣ−ＤＣコンバータ４００は、電源部（図示せず）より供給されるＤＣ電圧を昇圧して出力する。昇圧されたＤＣ電圧は、１５Ｖ〜３０Ｖの電圧であることが好ましい。
【００４３】
静電気防止回路ＥＳＤは、データラインと共通電極Ｃｏｍとの間に接続され、前記液晶キャパシタＣLCとは並列関係にあることから、静電気防止回路ＥＳＤの両端にかかる電圧Ｖｄは、液晶キャパシタＣLCの両端（共通電極Ｃｏｍ及び画素電極）にかかる電圧Ｖｄとなる。
【００４４】
高電圧印加回路５００は、ローパスフィルタ（ＬＰＦ）の役目をするように構成された抵抗ＲTR及びキャパシタＣTRと、前記キャパシタＣTRに充電された電圧に応じて抵抗の大きさを変化させるためのトランジスタＴＲから構成されている。詳細に説明すれば、抵抗ＲTRは、一端が前記ＤＣ−ＤＣコンバータ４００に接続されている。キャパシタＣTRは、一端が前記抵抗ＲTRの他端と直列で接続され、他端がグランドに接続される。トランジスタＴＲは、ソース／ドレイン電極の一方が前記抵抗ＲTRの一端に接続され、ゲート電極が前記キャパシタＣTRの一端に接続され、ソース／ドレイン電極の他方が、前記静電気防止回路ＥＳＤ及び液晶の共通電極Ｃｏｍに共通で接続されている。
【００４５】
前記トランジスタＴＲは、ゲート端子に印加される電圧、すなわち、キャパシタＣTRに充電される電圧によってトランジスタＴＲを介して流れる電流が変化するようになる。この際、キャパシタＣstに充電される電圧Ｖｃは、次の（３）式で表すことができる。
【数１】
2006146140.tif 000003
【００４６】
（３）式は、図６の左側回路網に対するラプラス変換式である。ここで、キャパシタＣstの初期電荷は無いものと仮定する。
【００４７】
また、上記（３）式を逆ラプラス変換すると、次の（１）を得ることができる。
【数２】
2006146140.tif 000004
【００４８】
ここで、時間ｔは０より大きい時間であり、ＶdcはＤＣ−ＤＣコンバータから出力される電圧であり、ＲＣは時定数τである。
【００４９】
上記（１）式から明らかなように、キャパシタＣstに充電される電圧Ｖｃは、ＤＣ−ＤＣコンバータで印加される電圧Ｖdcの初期には０Ｖであり、正常状態では、ほぼＶdc値近くまで充電される。
【００５０】
したがって、電圧Ｖdcが印加された初期には、キャパシタＣstに充電される電圧Ｖｃが０Ｖであるから、前記トランジスタＴＲを介して流れる初期電流Ｉｄは、ほとんど流れないことになり、高電圧による初期スパーク性電流を制限することができる。この際、トランジスタＴＲは、非常に大きい抵抗値を有する抵抗にモデリングされる。
【００５１】
以後、正常状態では、キャパシタＣstに充電される電圧Ｖｃは、電圧Ｖdcのほぼ全部が充電されるので、前記トランジスタＴＲはオンとなり、キャパシタに充電された電圧Ｖｃが全て静電気防止回路ＥＳＤ及び液晶の共通電極Ｃｏｍに印加されるので、ＯＣＢモード液晶の初期転移時間を非常に短縮させることができるようになる。この際、トランジスタＴＲは、非常に小さい抵抗値を有する抵抗にモデリングされる。
【００５２】
図７は、図６の等価回路を示す回路図である。図７を参照して、等価回路は、ＤＣ−ＤＣコンバータの出力電圧Ｖdc、抵抗ＲTR及び抵抗ＲESDの直列接続回路で表すことができる。抵抗ＲTRは、前記トランジスタＴＲの等価抵抗であって、電圧Ｖdcの印加初期には、高抵抗となり、以後には、低抵抗に変わる可変抵抗である。したがって、高電圧Ｖdcが印加されることによって、静電気防止回路ＥＳＤがオンとなり、抵抗ＲESDとして作用しても、高電圧Ｖdcが印加された初期には、可変抵抗ＲTRの大きさが非常に大きくなり、初期電流を制限することができ、初期以後には、可変抵抗ＲTRの大きさが小さくなり、抵抗ＲESD及び液晶共通電極Ｃｏｍに高電圧を印加できるようになる。
【００５３】
図８は、図６に示す回路のＤＣ−ＤＣコンバータの電圧に対する初期電流及び液晶電圧の関係を示すシミュレーション波形である。
【００５４】
図８の電流及び電圧波形は、ＤＣ−ＤＣコンバータ４００の電圧Ｖdcは３０Ｖであり、抵抗ＲTRは、１［ｋΩ］であり、キャパシタＣTRは、１［μＦ］である時、静電気防止回路に印加される電流Ｉｄと電圧Ｖｄの変化を測定したシミュレーション結果である。図８から明らかなように、ＤＣ−ＤＣコンバータ４００で直流３０Ｖの電圧Ｖdcを印加する時、電圧Ｖdcの印加初期に液晶パネル内に流入する初期電流が制限されることが分かる。また、初期以後には、液晶に印加される電圧Ｖｄは、ＤＣ−ＤＣコンバータ４００で印加した電圧Ｖdcである３０Ｖに近く増加して（印加電圧の９３％）、液晶に高電圧を印加することができることが分かる。したがって、本発明の実施例に係るＯＣＢモードを有する液晶表示装置は、高電圧印加回路５００を設けることによって、従来に構成されている静電気防止回路ＥＳＤを変形することなく、高電圧の印加初期に液晶パネルまたは画素回路に流入される初期スパーク性高電流を制限することができると同時に、液晶に高電圧を印加することができるので、ＯＣＢモード液晶の初期ベンド転移時間を大きく短縮させることができる。
【００５５】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【産業上の利用可能性】
【００５６】
ＯＣＢモード液晶の初期ベンド転移時間を短縮させる上で極めて有用である。
【図面の簡単な説明】
【００５７】
【図１】一般的なＯＣＢモードの動作を説明するための液晶状態図である。
【図２】従来のＯＣＢモードを有する液晶表示装置を示すブロック図である。
【図３】図２に示すＤＣ−ＤＣコンバータの電圧の大きさによる静電気防止回路の状態を示す等価回路図であり、静電気防止回路がオフの状態を示す。
【図４】図２に示すＤＣ−ＤＣコンバータの電圧の大きさによる静電気防止回路の状態を示す等価回路図であり、静電気防止回路がオンの状態を示す。
【図５】本発明の実施例に係るＯＣＢモードを有する液晶表示装置を示すブロック図である。
【図６】図５に示す本発明の実施例に係る液晶表示装置において、ＤＣ−ＤＣコンバータの高電圧が高電圧印加回路及び静電気防止回路に印加される関係を示す回路図である。
【図７】図６に示す回路の等価回路図である。
【図８】図６に示す回路のＤＣ−ＤＣコンバータの電圧に対する初期電流及び液晶電圧の関係を示すシミュレーション波形である。
【符号の説明】
【００５８】
１００  液晶パネル
１１０  画素回路
２００  データドライバ
３００  スキャンドライバ
４００  ＤＣ−ＤＣコンバータ
５００  高電圧印加回路
【図１】
2006146140.tif 000006
【図２】
2006146140.tif 000007
【図３】
2006146140.tif 000008
【図４】
2006146140.tif 000009
【図５】
2006146140.tif 000010
【図６】
2006146140.tif 000011
【図７】
2006146140.tif 000012
【図８】
2006146140.tif 000013